(57)【要約】【課題】メンテナンスをするときに、必要な作業スペースを確保し、かつ作業性を向上することができるシート体処理装置を提供する。【解決手段】処理手段２６が収容される収容空間３２は、筐体２１の筐体本体３０に対して、前カバー部３１を変位させて開閉可能である。筐体２１には、前カバー部３１よりも上方に原稿排出口３５が形成される。前カバー部３１には、排出される原稿を受ける原稿排出トレイ２４が設けられる。前カバー部３１を筐体本体３０に対して変位させるとき、原稿排出トレイ２４が前カバー部３１とともに変位する。これによって操作者が、たとえばインクカートリッジ５３などの消耗品を交換するときに、広い作業スペースを確保することができるとともに、作業性を向上することができる。【選択図】      図１
2004210482.tif 000002
【特許請求の範囲】
【請求項１】
シート体に対して予め定める処理をする処理手段と、
筐体本体および蓋体を有し、筐体本体に対して蓋体を変位させて開閉可能な収容空間であって、処理手段が収容される収容空間が形成され、蓋体よりも上方に処理手段によって処理されたシート体が排出される排出口が形成される筐体と、蓋体に設けられ、排出口から排出されるシート体を保持するシート保持体とを含むことを特徴とするシート体処理装置。
【請求項２】
蓋体は、筐体本体に対して予め定める蓋体角変位軸線まわりに角変位可能に連結され、
シート保持体は、蓋体に対して蓋体角変位軸線と平行な保持体角変位軸線まわりに角変位可能に連結されることを特徴とする請求項１記載のシート体処理装置。
【請求項３】
筐体本体は、蓋体が連結される基部と、カバー部とを有し、基部に対してカバー部を変位させて収容空間を開閉可能に構成され、
シート保持体は、蓋体が閉じた状態で、筐体の排出口が形成される側部から離反する方向に延びて配置され、排出口から排出されるシート体を受ける保持位置と、カバー部に部分的に当接して筐体の排出口が形成される側部に沿って配置される収納位置とにわたって、予め定める保持体角変位軸線まわりに各変位可能であり、収納位置にある状態で、シート保持体がカバー部に当接することによる押圧力が、カバー部を閉じる方向に与えられることを特徴とする請求項１または２記載のシート体処理装置。
【請求項４】
カバー部は、保持体角変位軸線と平行なカバー角変位軸線まわりに角変位可能に基部に連結され、
シート保持体には、収納位置に配置される状態でカバー部に当接する凸部を有し、凸部は、カバー部に当接した状態で、カバー部を押圧する押圧方向が、カバー部における凸部の当接位置とカバー角変位軸線とを含む仮想平面よりも基部側に向かう方向となるように形成されることを特徴とする請求項３記載のシート体処理装置。
【請求項５】
蓋体は、筐体本体に対して、一側部で予め定める蓋体角変位軸線まわりに角変位可能に連結され、他側部で収容空間を開く方向に予め定める設定力以上の外力が与えられると係合解除可能に係合され、
シート保持体は、蓋体の他側部に連結されることを特徴とする１〜４のいずれかに記載のシート体処理装置。
【請求項６】
シート保持体は、保持体角変位軸線に沿う方向の外力が与えられたときに、蓋体から離脱可能に設けられることを特徴とする請求項１〜５のいずれかに記載のシート体処理装置。
【発明の詳細な説明】
【０００１】
【発明の属する技術分野】
本発明は、シート体に対して予め定める処理をするシート体処理装置に関する。
【０００２】
【従来の技術】
図１０は、従来の技術のファクシミリ装置１を簡略化して示す断面図である。
このファクシミリ装置１では、装置基部３の上部に、上カバー部２が後部側の部分を中心にして軸線Ｌ２まわりに角変位自在に設けられ、これら装置基部３および上カバー部２によって形成される空間１０に、原稿読取ユニット９および画像形成ユニット６が設けられている。
【０００３】
原稿読取ユニット９は、装置基部３と上カバー部２との間にガイド部材５によって形成される搬送経路に沿って、原稿を搬送しながら原稿の画像を読取る。装置本体３には、読取った原稿を載置できるように、搬送方向下流側となる前部に、前方へ突出して原稿排紙トレイ４が設けられている。
【０００４】
画像形成ユニット６は、原稿読取ユニット９の下方の領域に収容されている。
この画像形成ユニット６は、トナーを用いて画像を記録紙に形成する。トナーは、消耗品であり、トナーを収容するカートリッジは、トナーを消費すると交換しなけらばならず、そのために、装置基部３には、前部に前カバー部７が設けられている。この前カバー部７を開放方向Ｋへ角変位させて、空間１０を開き、カートリッジを交換できるように構成されている。
【０００５】
また他の従来の技術のファクシミリ装置では、画像形成ユニットが設けられる装置本体の上部に、原稿読取ユニットが設けられる上カバー部が、前部に配置される角変位軸線まわりに角変位自在に設けられている。画像読取ユニットはこのファクシミリ装置では、上カバー部を装置本体に対して前方を引き上げるように前傾姿勢に角変位させて、画像形成ユニットが配置される空間を開き、カートリッジを交換できるように構成されている（たとえば特許文献１参照）。
【０００６】
さらに他の従来の技術のファクシミリ装置では、画像形成ユニットが設けられる装置本体の上部に、原稿読取ユニットが設けられる上カバー部が設けられ、原稿読取ユニットによって読取った原稿が載置される原稿排紙トレイを備えている。この排紙トレイは、角変位自在に設けられており、原稿を読取るときには、前方に突出する位置に配置して原稿を載置することができ、原稿の読取をしないときには、上カバー部を部分的に覆って退避させることができるように構成されている（たとえば特許文献２参照）。
【０００７】
【特許文献１】
特開平１１−２５８８７０号公報
【特許文献２】
特開２００１−６３９０１号公報
【０００８】
【発明が解決しようとする課題】
図１０に示すファクシミリ装置１では、前カバー部７を角変位させて空間１０を開き、カートリッジを交換することができるが、前カバー部７によって開かれた開口の上方に、原稿排紙トレイ４が存在するので、この原稿排紙トレイ４が邪魔をして、メンテナンスなどの作業をするために、広い作業スペースを確保することができない。これに対して、「原稿排紙トレイ４を着脱自在にすることが容易に考えられるが、メンテナンスのたびに着脱しなければならないので、手間が掛かり、作業性が悪い。このようにメンテナンスのための開口を前部に形成するための前カバー部を設けただけでは、メンテナンスを容易にすることができない。
【０００９】
また特許文献１に示されるファクシミリ装置では、メンテナンスにあたって、上カバー部を手前側へ約９０度程度角変位させて、装置の下部に設けられる記録部を上方から覗き見るようにしなければならない。しかも上カバー部を避けるようにして、画像読取りユニットの背後にある画像形成ユニット対して、上方から手を入れなければならない。さらに上カバー部は、画像読取りユニットが設けられており、単なるカバーなどに比べて重量が大きいので、角変位操作が困難である。したがってメンテナンスが困難であり、図１０の課題を解決するところが、反って作業性が悪い。
【００１０】
また特許文献２に示されるファクシミリ装置は、原稿配置トレイを退避させることができるように構成されているけれども、この構成によって、デザイン的に美しく見せることはできるが、メンテナンスのためのスペースを確保することができるように構成されていない。
【００１１】
このように原稿読取りユニットと、画像形成ユニットとを備えた装置として、ファクシミリ装置を始め、スキャナプリンタ、多機能装置および小形複写機などがあるが、カートリッジの交換などのメンテナンスの作業性を高くすることができるように構成されていない。
【００１２】
したがって本発明の目的は、メンテナンスをするときに、広い作業スペースを確保し、作業性を向上することができるシート体処理装置を提供することである。
【００１３】
【課題を解決するための手段】
本発明は、シート体に対して予め定める処理をする処理手段と、
筐体本体および蓋体を有し、筐体本体に対して蓋体を変位させて開閉可能な収容空間であって、処理手段が収容される収容空間が形成され、蓋体よりも上方に処理手段によって処理されたシート体が排出される排出口が形成される筐体と、蓋体に設けられ、排出口から排出されるシート体を保持するシート保持体とを含むことを特徴とするシート体処理装置である。
【００１４】
本発明に従えば、筐体は、筐体本体および蓋体を有する。筐体には、筐体本体に対して蓋体を変位させて開閉可能である収容空間が形成される。この収容空間には、シート体に対して予め定める処理をする処理手段が収容される。さらに筐体には、蓋体よりも上方に排出口が形成される。この排出口から、処理手段によって処理されたシート体が排出される。蓋体には、シート保持体が設けられ、シート保持体によって排出口から排出されるシート体が保持される。このようにシート保持体が蓋体に設けられるので、蓋体を筐体本体に対して変位させるとき、シート保持体を蓋体とともに筐体本体に対して変位させることができる。これによって蓋体を筐体本体に対して変位させて収容空間を開放するにあたって、蓋体とともに変位させて、シート保持体を邪魔にならないように配置することができる。これによって操作者が、たとえばインクカートリッジなどの消耗品を交換する作業、およびシート体を搬送するローラに付着したごみを取り除く作業などのメンテナンスをするときに、シート体保持体が邪魔をして、作業スペースが狭まることを防いで、広い作業スペースを確保することができる。さらにメンテナンスをするときに、筐体本体からシート保持体が離反した位置に配置されるので、シート保持体によって収容空間が遮られることを防いで、操作者が収容空間を確実に目視することができる。これによって作業性を向上することができる。
【００１５】
また本発明は、蓋体は、筐体本体に対して予め定める蓋体角変位軸線まわりに角変位可能に連結され、
シート保持体は、蓋体に対して蓋体角変位軸線と平行な保持体角変位軸線まわりに角変位可能に連結されることを特徴とする。
【００１６】
本発明に従えば、蓋体が、筐体本体に対して予め定める蓋体角変位軸線まわりに角変位可能に連結される。シート保持体が、蓋体に対して蓋体角変位軸線と平行な保持体角変位軸線まわりに角変位可能に連結される。これによって蓋体を角変位させて収容空間を開放したときに、シート体保持体を蓋体に対して角変位させて、作業スペースを充分に広くすることができる。また作業スペースを充分に広くすることによって、操作者が作業しやすくなるので、作業性を向上することができる。
【００１７】
また本発明は、筐体本体は、蓋体が連結される基部と、カバー部とを有し、基部に対してカバー部を変位させて収容空間を開閉可能に構成され、
シート保持体は、蓋体が閉じた状態で、筐体の排出口が形成される側部から離反する方向に延びて配置され、排出口から排出されるシート体を受ける保持位置と、カバー部に部分的に当接して筐体の排出口が形成される側部に沿って配置される収納位置とにわたって、予め定める保持体角変位軸線まわりに各変位可能であり、収納位置にある状態で、シート保持体がカバー部に当接することによる押圧力が、カバー部を閉じる方向に与えられることを特徴とする。
【００１８】
本発明に従えば、筐体本体が、蓋体が連結される基部と、カバー部とを有し、基部に対してカバー部を変位させて収容空間を開閉可能に構成される。シート保持体は、保持位置と収納位置とにわたって変位可能である。保持位置では、シート保持体は、蓋体が閉じた状態で、筐体の排出口が形成される側部から離反する方向に延びて配置され、排出口から排出されるシート体を受ける。収納位置では、カバー部に部分的に当接して筐体の排出口が形成される側部に沿って配置される。シート保持体が収納位置にある状態では、シート保持体がカバー部に当接することによる押圧力が、カバー部を閉じる方向に与えられる。たとえば操作者がシート保持体に接触することによって、シート保持体が角変位してカバー部に当接したときであっても、シート保持体による押圧力が、カバー部を閉じる方向に与えられる。これによってカバー部が、開く方向に誤って角変位することが防がれる。したがって収容空間が開放されることによって、シート体に対する処理が実行されないなどの不具合が発生することを防止して、シート体に対して処理を確実に実行することができる。
【００１９】
また本発明は、カバー部は、保持体角変位軸線と平行なカバー角変位軸線まわりに角変位可能に基部に連結され、
シート保持体には、収納位置に配置される状態でカバー部に当接する凸部を有し、凸部は、カバー部に当接した状態で、カバー部を押圧する押圧方向が、カバー部における凸部の当接位置とカバー角変位軸線とを含む仮想平面よりも基部側に向かう方向となるように形成されることを特徴とする。
【００２０】
本発明に従えば、カバー部が、保持体角変位軸線と平行なカバー角変位軸線まわりに角変位可能に基部に連結される。シート保持体が、収納位置に配置される状態でカバー部に当接する凸部を有する。シート保持体の凸部は、カバー部に当接した状態で、カバー部を押圧する押圧方向がカバー部における凸部の当接位置とカバー角変位軸線を含む仮想平面よりも基部側に向かう方向となるように形成される。このようにシート保持体の凸部を形成することによって、凸部がカバー部に当接したときに、凸部がカバー部に当接することによる押圧力を、カバー部が閉じる方向に与えるようにすることができる。これによって操作者がシート保持体に誤って接触して、シート保持体とカバー部とが接触したときであっても、カバー部が角変位して収容空間が開放されることを確実に防止することができる。
【００２１】
また本発明は、蓋体は、筐体本体に対して、一側部で予め定める蓋体角変位軸線まわりに角変位可能に連結され、他側部で収容空間を開く方向に予め定める設定力以上の外力が与えられると係合解除可能に係合され、
シート保持体は、蓋体の他側部に連結されることを特徴とする。
【００２２】
本発明に従えば、蓋体が、筐体本体に対して、一側部で予め定める蓋体角変位軸線まわりに角変位可能に連結され、他側部で収容空間を開く方向に予め定める設定力以上の外力が与えられると係合解除可能に係合される。蓋体が筐体本体に対して係合される状態で、蓋体の他側部に連結されるシート保持体を用いて、設定力以上の外力を与えることによって、蓋体と筐体本体との係合を解除することができる。これによってシート保持体を、排出口からのシート体を保持する手段としてだけでなく、収容空間を開放するように蓋体を操作するための手段として用いることができる。さらにシート保持体が蓋体の他側部に連結される。これによって一側部と他側部との間に連結されるとき、および一側部寄りに連結されるときに比べて、シート保持体によって設定力以上の外力を蓋体の他側部に効率良く与えて、蓋体と筐体本体との係合を容易に解除することができる。これによって蓋体およびシート保持体の変形および破損を防止することができる。
【００２３】
また本発明は、シート保持体は、保持体角変位軸線に沿う方向の外力が与えられたときに、蓋体から離脱可能に設けられることを特徴とする。
【００２４】
本発明に従えば、シート保持体が、保持体角変位軸線に沿う方向の外力が与えられたときに、蓋体から離脱可能に設けられる。これによって操作者がシート保持体に誤って接触したとき、シート保持体に与えられる外力が、保持体角変位軸線に沿う方向であれば、シート保持体が蓋体から容易に離脱される。したがって蓋体およびシート保持体が、外力によって破損することを防止することができる。
【００２５】
【発明の実施の形態】
図１は、本発明の実施の一形態である通信装置２０を簡略化して示す断面図である。図２は、上方から見た通信装置２０を示す正面図である。図１において、部分的に厚みを省略している。本発明において、用語「上下方向」は、シート体処理装置である通信装置２０が、たとえば載置台２７などに載置されて使用される状態での上下方向を意味する。本発明において、用語「上方」は、通信装置２０が載置台２７に載置されて使用される状態での上方を意味し、用語「下方」は、通信装置２０が前述のように使用される状態での下方を意味する。また本発明において、用語「略垂直」は、垂直を含み、用語「略平行」は、平行を含む。シート体処理装置である通信装置２０は、通信回線を介して他の通信装置と通信するための装置である。通信装置２０は、たとえば載置台２７の水平面である載置面２７ａに載置されて使用される。通信装置２０は、後述の処理手段２６を用いて、シート体に対して予め定める処理をする。
【００２６】
前記シート体は、紙および紙以外の材料から成る読取り用のシートと記録用のシートとを含む。前記予め定める処理は、画像読取り処理および画像形成処理を含む。画像読取り処理は、読取り用のシートである原稿に形成される画像を読取る処理である。画像形成処理は、記録用のシートである記録材に画像を形成する処理である。通信装置２０が使用される状態とは、通信回線を介して他の通信装置と通信する状態である。通信装置２０は、たとえばファクシミリ装置である。
通信装置２０は、筐体２１、原稿供給トレイ２２、記録材供給トレイ２３、原稿排出トレイ２４、記録材排出トレイ２５および処理手段２６を含んで構成される。
【００２７】
筐体２１は、大略的に箱形の容器である。筐体２１は、筐体本体３０および前カバー部３１を有する。筐体２１には、筐体本体３０に対して前カバー部３１を変位させて開閉可能な収容空間３２が形成される。筐体本体３０は、第１本体側部３０ａおよび第２本体側部３０ｂ、第３本体側部３０ｃおよび第４本体側部３０ｄならびに第１本体底部３０ｅおよび第２本体底部３０ｆを有する。第１本体側部３０ａおよび第２本体側部３０ｂは、第１水平方向Ａに関して、相互に間隔をあけて対向する。第１水平方向Ａは、通信装置２０が載置台２７に載置されて使用される状態において、上下方向Ｃに垂直な方向のうち予め定める一方向である。
【００２８】
第１本体側部３０ａは、たとえば通信装置２０のメンテナンスなどの各種の作業をする操作者に臨む筐体本体３０の一側部である。第１本体側部３０ａには、前カバー部３１が連結される。第１本体側部３０ａは、上方に向かうにつれて、第２本体側部３０ｂから離反する方向に傾斜する。第２本体側部３０ｂは、上方に向かうにつれて、第１本体側部３０ａに近接する方向に傾斜する。第２本体側部３０ｂは、その上方側端部が、第１本体側部３０ａの上方側端部よりも上方に配置される。
【００２９】
第３本体側部３０ｃおよび第４本体側部３０ｄは、第２水平方向Ｂに関して、相互に間隔をあけて対向する。第２水平方向Ｂは、第１水平方向Ａおよび上下方向Ｃに垂直な方向である。第３本体側部３０ｃおよび第４本体側部３０ｄは、ともに上下方向Ｃに延びて配置される。第３本体側部３０ｃおよび第４本体側部３０ｄは、第１本体側部３０ａと第２本体側部３０ｂとにわたって設けられて、第１本体側部３０ａと第２本体側部３０ｂとを連結する。
【００３０】
第１本体底部３０ｅおよび第２本体底部３０ｆは、上下方向Ｃに関して、相互に間隔をあけて対向する。第１本体底部３０ｅは、筐体本体３０の一底部であって、第２本体底部３０ｆよりも上方に配置される。第１本体底部３０ｅは、第２本体側部３０ｂから第１本体側部３０ａに向かうにつれて、下方に傾斜する。第１本体底部３０ｅは、第１本体側部３０ａと第２本体側部３０ｂとにわたって設けられて、第１本体側部３０ａと第２本体側部３０ｂとを連結する。さらに第１本体底部３０ｅは、第３本体側部３０ｃと第４本体側部３０ｄとにわたって設けられて、第３本体側部３０ｃと第４本体側部３０ｄとを連結する。
【００３１】
第２本体底部３０ｆは、筐体本体３０の他底部であって、載置台２７の載置面２７ａに対向する。また第２本体底部３０ｆは、載置面２７ａに沿って配置される。第２本体底部３０ｆは、第１本体側部３０ａと第２本体側部３０ｂとにわたって設けられて、第１本体側部３０ａと第２本体側部３０ｂとを連結する。さらに第２本体底部３０ｆは、第３本体側部３０ｃと第４本体側部３０ｄとにわたって設けられて、第３本体側部３０ｃと第４本体側部３０ｄとを連結する。前記収容空間３２は、第１〜第４本体側部３０ａ〜３０ｄと、第１本体底部３０ｅと、第２本体底部３０ｆとによって外囲される。
【００３２】
前記筐体２１には、前カバー部３１よりも上方に、予め定める処理が行われたシート体が排出される排出口が形成される。また筐体には、処理手段２６が予め定める処理を行うために、シート体を供給するための供給口が形成される。具体的には筐体２１の筐体本体３０には、排出口である原稿排出口３５および記録材排出口３６と、供給口である原稿供給口３６および記録材供給口３８とが形成される。
【００３３】
原稿排出口３５は、画像読取り処理後の原稿が排出される排出口である。記録材排出口３６は、画像形成処理後の記録材が排出される排出口である。原稿排出口３５および記録材排出口３６は、筐体本体３０の第１本体側部３０ａに形成される。原稿排出口３５は、前カバー部３１よりも上方に形成される。本実施の形態では、原稿排出口３５および記録材排出口３６のうち、原稿排出口３５だけが、前カバー部３１よりも上方に形成される。記録材排出口３６は、前カバー部３１よりも下方に形成される。
【００３４】
原稿供給口３７は、画像読取り処理前の原稿が供給される供給口である。記録材供給口３８は、画像形成処理前の記録材が供給される供給口である。原稿供給口３７および記録材供給口３８は、筐体本体３０の第２本体側部３０ｂに形成される。原稿供給口３７は、原稿排出口３５および記録材供給口３８よりも上方に形成される。記録材供給口３８は、原稿供給口３７よりも下方に形成されるとともに、記録材排出口３６よりも上方に形成される。収容空間３２と通信装置２０外部とは、原稿排出口３５、記録材排出口３６、原稿供給口３７および記録材供給口３８によって連通される。
【００３５】
筐体本体３０は、基部４０および上カバー部４１を有する。筐体本体３０は、基部４０に対して上カバー部４１を変位させて収容空間３２を開閉可能に構成される。筐体本体３０のうち基部４０には、前記前カバー部３１が連結される。基部４０は、第１基部側部４０ａおよび第２基部側部４０ｂ、第３基部側部４０ｃおよび第４基部側部４０ｄならびに基部上部４０ｅを有する。第１基部側部４０ａは、第１本体側部３０ａの一部である。第２基部側部４０ｂは、第２本体側部３０ｂの一部である。第２基部側部４０ｂは、その上方側端部が第１基部側部４０ａの上方側端部よりも上方に配置される。第３基部側部４０ｃは、第３本体側部３０ｃの一部である。第４基部側部４０ｄは、第４本体側部３０ｄの一部である。第３基部側部４０ｃおよび第４基部側部４０ｄは、第１基部側部４０ａと第２基部側部４０ｂとにわたって設けられて、第１基部側部４０ａと第２基部側部４０ｂとを連結する。
【００３６】
基部上部４０ｅは、基部４０の一底部であり、基部４０の載置台２７に臨む底部よりも上方に配置される。基部４０の載置台２７に臨む底部は、第２本体底部３０ｆである。基部上部４４は、第２基部側部４０ｂに連結される。また基部上部４４は、たとえば第２方向Ｂに関して、第３本体側部３０ｃと第４本体側部３０ｄとにわたって設けられて、第３本体側部３０ｃと第４本体側部３０ｄとを連結する。基部上部４４は、第１水平方向Ａに関して、第２基部側部４０ｂの上方側端部から、第１基部側部４０ｂの上方側端部近傍まで延びて配置される。基部上部４４は、第２基部側部４０ｂから第１基部側部４０ａに向かうにつれて、下方に傾斜する。具体的には基部上部４４は、第１延在部分４４ａ、第２延在部分４４ｂおよび第３延在部分４４ｃを有する。
【００３７】
第１延在部分４４ａは、第２基部側部４０ｂの上方側端部から突出し、第１基部側部４０ａに向けて延びて配置される。第１延在部分４４ａは、第２基部側部４０ｂから第１基部側部４０ａに向かうにつれて下方に傾斜する。第２延在部分４４ｂは、第１延在部分４４ａに対して略垂直であり、第１延在部分４４ａの第１基部側部４０ａ寄りの端部から下方に突出する。第３延在部分４４ｂは、第２延在部分４４ｂに対して略垂直であり、第２延在部分４４ｂの下方側端部から第１基部側部４０ａに向けて延びて配置される。第３延在部分４４ｃは、第２基部側部４０ｂから第１基部側部４０ａに向かうにつれて下方に傾斜する。
【００３８】
カバー部である上カバー部４１は、基部４０よりも上方に配置される。上カバー部４１は、第１上カバー側部４１ａおよび第２上カバー側部４１ｂ、第３上カバー側部４１ｃおよび第４上カバー側部４１ｄならびに上カバー上部４１ｅを有する。第１上カバー側部４１ａは、第１本体側部３０ａの他の一部である。第２上カバー側部４１ｂは、第２本体側部３０ｂの他の一部である。第３上カバー側部４１ｃは、第３本体側部３０ｃの他の一部である。第４上カバー側部４１ｄは、第４本体側部３０ｄの他の一部である。
【００３９】
第３上カバー側部４１ｃおよび第４上カバー上部４１ｅは、第１上カバー側部４１ａと第２上カバー側部４１ｂとにわたって設けられて、第１上カバー側部４１ａと第２上カバー側部４１ｂとを連結する。上カバー上部４１ｅは、第１本体底部３０ｅの一部である。上カバー上部４１ｅは、第１上カバー側部４１ａと第２上カバー側部４１ｂとにわたって設けられて、第１上カバー側部４１ａと第２上カバー側部４１ｂとを連結する。さらに上カバー側部４１ｅは、第３上カバー側部４１ｃと第４上カバー側部４１ｄとにわたって設けられて、第３上カバー側部４１ｃと第４上カバー側部４１ｄとを連結する。
【００４０】
前記第１本体側部３０ａは、第１基部側部４０ａと第１上カバー側部４１ａとによって構成される。前記第２本体側部３０ｂは、第２基部側部４０ｂと第２上カバー側部４１ｂとによって構成される。前記第３本体側部３０ｃは、第３基部側部４０ｃと第３上カバー側部４１ｃとによって構成される。前記第４本体側部３０ｄは、第４基部側部４０ｄと第４上カバー側部４１ｄとによって構成される。第１本体底部３０ｅは、基部上部４０ｅと上カバー上部４１ｅとによって構成される。
【００４１】
第１上カバー側部４１ａは、詳細には、上方に向かうにつれて第２上カバー側部４１ｂから離反する方向に傾斜する一仮想平面に沿って設けられる。第２上カバー側部４１ｂは、詳細には、第２基部側部４０ｂと略平行に、かつ第１水平方向Ａに関して、第２基部側部４０ｂに比べて第１本体側部３０ａ寄りに配置される。第４上カバー側部４１ｄは、詳細には、第４基部側部４０ｄと略平行に、かつ第２水平方向Ａに関して、第４基部側部４０ｄに比べて第３本体側部３０ｃ寄りに配置される。上カバー上部４１ｅは、詳細には、第２上カバー側部４１ｂから第１上カバー側部４１ａに向かうにつれて、下方に滑らかに湾曲する一仮想曲面に沿って設けられる。
【００４２】
前記上カバー部４１は、カバー角変位軸線である上カバー軸線Ｌ４１まわりに角変位可能に、基部４０に設けられる。上カバー軸線Ｌ４１は、第２水平方向Ｂに平行である。前記収容空間３２は、基部４０に対して上カバー部４１を変位させることによって開閉可能に構成される。具体的には基部４０の第２基部側部４０ｂには、上カバー軸線Ｌ４１を有する上カバー角変位軸４３が設けられる。上カバー部４１は、支持アングル４２を有し、この支持アングル４２の一端部４２ａで基部４０に連結される。支持アングル４２の一端部４２ａは、第２水平方向Ｂに貫通する透孔が形成されるとともに、周方向の一部が半径方向外方に開放するコの字状に形成される。通信装置２０が使用される状態で、支持アングル４２の一端部４２ａは、周方向の一部が下方に開放するように形成される。
【００４３】
支持アングル４２は、その一端部４２ａが、上カバー角変位軸４３に対して角変位可能に嵌り込むことによって、上カバー角変位軸４３に係合する。これによって上カバー部４１を、基部４０に容易に連結することができるとともに、簡単な構成で、基部４０に対して容易に角変位させることができる。支持アングル４２は、たとえば操作者が所定の外力を与えたときに、上カバー角変位軸４３との係合が解除される。
【００４４】
また第１上カバー側部４１ａが、上方に向かうにつれて第２上カバー側部４１ｂから離反するように傾斜して設けられる。これによって操作者が第１本体側部３０ａに対向した状態で、上カバー部４１を操作して収容空間３２を開放するときに、操作者が上カバー部４１に対して第１上カバー角変位方向Ｅ１に角変位する力を容易に与えることができる。したがって通信装置２０の操作性を向上することができる。
【００４５】
通信装置２０を使用する状態で、上カバー部４１を、第１上カバー角変位方向Ｄ１に向けて角変位させると、収容空間３２が開放される。第１上カバー角変位方向Ｄ１は、上カバー部４１の上カバー軸線Ｌ４１まわりの角変位方向のうち、上カバー部４１が基部４０から離反するように角変位する方向である。収容空間３２が開放された状態で、上カバー部４１を、第２上カバー角変位方向Ｄ２に向けて変位させると、収容空間３２が閉塞される。第２上カバー角変位方向Ｄ２は、上カバー部４１の上カバー軸線Ｌ４１まわりの角変位方向のうち、上カバー部４１が基部４０に近接するように角変位する方向である。このように基部４０に連結される上カバー部４１が基部４０を、基部４０に対して角変位させることによって、収容空間３２を開閉することができる。
【００４６】
前記原稿排出口３５は、詳細には、第１本体側部３０ａにおいて、第１基部側部４０ａと第１上カバー側部４１ａとの間に形成される。記録材排出口３６は、詳細には、第１本体側部３０ａにおいて、第１基部側部４０ａに形成される。また原稿供給口３７は、詳細には、第２本体側部３０ｂにおいて、第２基部側部４０ｂと第２上カバー側部４１ｂとの間に形成される。記録材供給口３８は、詳細には、第２本体側部３０ｂにおいて、第２基部側部４０ｂに形成される。
【００４７】
原稿供給トレイ２２および記録材供給トレイ２３は、ともに、筐体本体３０の第２本体側部３０ｂに設けられる。原稿供給トレイ２２は、処理手段２６に供給する原稿を保持する。原稿供給トレイ２２は、原稿を原稿供給口３７から供給可能な位置で保持する。記録材供給トレイ２３は、処理手段２６に供給する記録材を保持する。記録材供給トレイ２３は、記録材を記録材供給口３８から供給可能な位置で保持する。記録材供給トレイ２３は、原稿供給トレイ２２よりも下方に配置される。本実施の形態では、記録材供給トレイ２３は、その一部が収容空間３２に収容される。また記録材供給トレイ２３は、後述のピックアップローラ５１ａとは反対側から、ばね部材などの付勢手段によって付勢されており、この付勢力によって、記録材をピックアップローラ５１ａと協働して挟持する。
【００４８】
上カバー部４１によって収容空間３２が開放されるとき、原稿供給トレイ２３と、原稿供給トレイ２３に保持される原稿とは、筐体本体３０から離脱される。
さらに上カバー部４１によって収容空間３２が開放された状態では、上カバー部４１は、その第２上カバー側部４１ｂが基部上部４４に当接された状態で、基部４０によって保持される。
【００４９】
シート保持体である原稿排出トレイ２４は、原稿排出口３５から排出される原稿を保持する。原稿排出トレイ２４は、前カバー部３１に設けられる。原稿排出トレイ２４の詳細な説明は、後述する。記録材排出トレイ２５は、記録材排出口３６から排出される記録材を保持する。記録材排出トレイ２５は、筐体本体３０に対して、第１水平方向Ａにスライド変位可能に設けられる。たとえば利用者が記録材排出トレイ２５を操作することによって、記録材排出トレイ２５を、記録材保持位置と記録材トレイ収納位置とに配置することができる。記録材排出トレイ２５は、記録材保持位置では、第１本体側部３０ａから離反する方向に延びて配置されており、排出される記録材を保持する。記録材排出トレイ２５は、記録材トレイ収納位置では、筐体本体３０、具体的には第２本体底部３０ｆに形成される収納空間に収納されている。
【００５０】
処理手段２６は、原稿処理手段４５および記録材処理手段４６を有する。原稿処理手段４５は、原稿に対して画像読取り処理をする。記録材処理手段４６は、記録材に対して画像形成処理をする。収容空間３２には、その上方で原稿処理手段４５を収容する領域と、その下方で記録材処理手段４６を収容する領域とがある。原稿処理手段４５は、原稿案内部４７、原稿搬送部４８および原稿読取り部４９を含んで構成される。原稿案内部４７は、原稿を原稿供給口３７から原稿排出口３５に向けて案内する。原稿案内部４７は、上ガイド部分４７ａおよび下ガイド部分４７ｂを有する。
【００５１】
上ガイド部分４７ａおよび下ガイド部分４７ｂは、上下方向Ｃに関して相互に間隔をあけて対向する。上ガイド部分４７ａは、上カバー部４１と一体に設けられる。上ガイド部分４７ａは、第１水平方向Ａに関して、第１上カバー側部４１ａと第２上カバー側部４１ｂとにわたって設けられる。下ガイド部分４７ｂは、基部４０よりも上方に配置されるとともに、基部上部４４に沿って設けられる。
また下ガイド部分４７ｂは、第１水平方向Ａに関して、第１基部側部４０ａと第２基部側部４０ｂとにわたって設けられる。上ガイド部分４７ａおよび下ガイド部分４７ｂは、通信装置２０を使用する状態で、原稿供給口３７から原稿排出口３５に向かうにつれて、下方に傾斜して設けられる。本実施の形態では、通信装置２０を使用する状態で、上ガイド部分４７ａおよび下ガイド部分４７ｂは、基部上部４４に略平行に設けられる。
【００５２】
上ガイド部分４７ａおよび下ガイド部分４７ｂによって、原稿供給口３７と原稿排出口３５とを連通する原稿搬送路が形成される。原稿は、原稿搬送路の上流側にある原稿供給口３７から供給されて、原稿案内部４７によって案内されて、原稿搬送路の下流側にある原稿排出口３５から排出される。
【００５３】
前記上ガイド部分４７ａは、基部４０に係合および係合解除可能なロック機構（図示せず）を有する。このロック機構によって、上ガイド部分４７ａは、収容空間３２が閉塞される状態では、基部４０に係合される。ロック機構による上ガイド部分４７ａと基部４０との係合は、操作者が上方の外力を上カバー部４１に与えて容易に解除される。また上ガイド部分４７ａおよび下ガイド部分４７ｂには、原稿搬送部４８および原稿読取り部４９などを原稿搬送路に臨ませて設けるために、透孔がそれぞれ形成される。また上ガイド部分４７ａおよび下ガイド部分４７ｂは、たとえば第２水平方向Ｂに関して、第３本体側部３０ｃと第４本体側部３０ｄとにわたって設けられる。
【００５４】
原稿搬送部４８は、原稿搬送路に臨んで設けられ、原稿を原稿供給口３７から原稿排出口３５に向けて搬送する。原稿搬送部４８は、原稿供給ローラ４８ａ（図５参照）、原稿送りローラ４８ｂ、原稿排出ローラ４８ｃおよび原稿排出補助ローラ４８ｄを含んで構成される。原稿供給ローラ４８ａ、原稿送りローラ４８ｂ、原稿排出ローラ４８ｃおよび原稿排出補助ローラ４８ｄは、それぞれ、第２水平方向Ｂに平行な軸線まわりに回転可能に設けられる。原稿供給ローラ４８ａ、原稿送りローラ４８ｂ、原稿排出ローラ４８ｃおよび原稿排出補助ローラ４８ｄは、たとえばそれらの回転軸が、回転可能に筐体本体３０に保持される。
【００５５】
原稿供給ローラ４８ａ、原稿送りローラ４８ｂおよび原稿排出ローラ４８ｃは、原稿搬送路上流側から原稿搬送路下流側に向かって、この順に相互に間隔を開けて配置される。原稿供給ローラ４８ａは、基部４０および上カバー部４１のいずれか一方に設けられる。原稿供給ローラ４８ａは、複数枚のシート体を１枚ずつ分離する分離手段（図示せず）と協働して、原稿供給トレイ２３から原稿を１枚ずつ原稿搬送路に引き込む。原稿送りローラ４８ｂは、上ガイド部分４７ａおよび下ガイド部分４７ｂのいずれか一方に設けられる。本実施の形態では、原稿送りローラ４８ｂは、基部４０に設けられる。
【００５６】
原稿排出ローラ４８ｃは、基部４０および上カバー部４１のいずれか一方に設けられる。本実施の形態では、原稿排出ローラ４８ｃは、基部４０に設けられる。原稿排出補助ローラ４８ｄは、原稿排出ローラ４８ｃに対向し、上カバー部４１に設けられる。原稿排出補助ローラ４８ｄは、原稿排出ローラ４８ｄと協働して、原稿を挟持しながら回転して搬送する。原稿搬送部４８の各ローラ４８ａ〜４８ｄは、図示しない駆動手段によって回転駆動される。特に原稿送りローラ４８ｂは、駆動手段によって、精密に回転駆動される。なお、原稿排出補助ローラ４８ｄは、駆動手段によって回転駆動されずに、原稿排出ローラ４８ｃの回転に従動して回転するようにしてもよい。
【００５７】
原稿読取り部４９は、原稿搬送路に臨んで設けられ、原稿に形成される画像を読取る。原稿読取り部４９は、たとえば密着形イメージセンサなどによって実現される。原稿読取り部４９は、その原稿搬送路に臨む一表面が、下ガイド部分４７ｂの原稿搬送路に臨む一表面と大略的に面一になるように設けられる。これによって原稿がスムーズに搬送されて、画像読取り処理を確実に行うことができる。また原稿読取り部４９は、原稿送りローラ４８ｂに対向し、原稿送りローラ４８ｂに当接する。本実施の形態では、原稿読取り部４９は、基部上部４４の第２延在部分４４ｂに当接された状態で、第３延在部分４４ｃによって下方から保持される。
【００５８】
たとえば原稿処理手段４５で画像読取り処理をするとき、原稿供給トレイ２２に保持される原稿は、矢符Ｐに示すように、１枚ずつ、第１ガイド部分４７ａおよび第２ガイド部分４７ｂに沿って、原稿供給ローラ４８ａ、原稿送りローラ４８ｂ、原稿排出ローラ４８ｃおよび原稿排出補助ローラ４８ｄによって搬送される。原稿に形成される画像は、原稿搬送路の途中で、原稿読取り部４９によって読取られる。画像が読取られた原稿は、原稿排出口３５から排出されて、原稿排出トレイ２４によって保持される。原稿処理手段４５によって読取られた原稿の画像を表わす情報は、たとえば自機から通信回線を介して他の通信装置に送信される。
【００５９】
記録材処理手段４６は、記録材案内部５０、記録材搬送部５１および画像形成部５２を含んで構成される。記録材案内部５０は、記録材を記録材供給口３８から記録材排出口３６に向けて案内する。記録材案内部５０は、第１基部側部４０ａと第２基部側部４０ｂとにわたって延在する記録材搬送路を形成する。また記録材案内部５０は、記録材が自重で変位することを阻止するための記録材当接部分５０ａを有する。記録材は、その先端が記録材当接部分５０ａに当接した状態で記録材供給トレイ２３に保持される。
【００６０】
記録材搬送部５１は、記録材搬送路に臨んで設けられる。記録材搬送部５１は、記録材搬送路の上流側にある記録材供給口３８から、記録材搬送路の下流側にある記録材排出口３６に向けて、記録材を搬送する。記録材搬送部５１は、ピックアップローラ５１ａならびに第１および第２記録材送りローラ５１ｂ，５１ｃを含んで構成される。ピックアップローラ５１ａならびに第１および第２記録材送りローラ５１ｂ，５１ｃは、それぞれ、第２水平方向に平行な軸線まわりに回転可能に設けられる。ピックアップローラ５１ａならびに第１および第２記録材送りローラ５１ｂ，５１ｃは、たとえばそれらの回転軸が、回転可能に筐体本体３０に保持される。
【００６１】
ピックアップローラ５１ａ、第１記録材送りローラ５１ｂおよび第２記録材送りローラ５１ｃは、記録材搬送路上流側から記録材搬送路下流側に向かって、この順に相互に間隔をあけて配置される。ピックアップローラ５１ａは、記録材供給トレイ２３に対向して設けられる。ピックアップローラ５１ａは、記録材を記録材供給トレイと協働して挟持し、回転することによって記録材を記録材搬送路に引き込む。第１記録材送りローラ５１ｂは、相互に対向する２つのローラを有し、この２つのローラが記録材を挟持しながら回転して、記録材を記録材排出口３６に向けて搬送する。第２記録材送りローラ５１ｃは、相互に対向する２つのローラを有し、この２つのローラが記録材を挟持しながら回転することによって、記録材を記録材排出口３６に向けて搬送する。記録材搬送部５１の各ローラ５０ａ〜５０ｃは、図示しない駆動手段によって回転駆動される。
【００６２】
画像形成部５２は、記録材搬送路に臨んで設けられ、記録材に画像を形成する。画像形成部５２は、インクカートリッジ５３および記録ヘッド５４を有する。
インクカートリッジ５３は、消耗品であって、操作者が交換可能に画像形成部５２に設けられる。記録ヘッド５４は、インクカートリッジ５３から供給されるインクを用いて、記録材に画像を形成する。前記画像形成部５２は、前カバー部３１近傍に、かつ基部上部４４の下方に配置される。
【００６３】
たとえば他の通信装置から情報を受信したとき、記録材処理手段４６によって画像形成処理が行われる。このとき記録材供給トレイ２３に保持される記録材は、矢符Ｑに示すように、ピックアップローラ５１ａならびに第１および第２記録材送りローラ５１ｂ，５１ｃによって搬送される。搬送される記録材には、受信した情報に基づく画像が、画像形成部によって記録材搬送路の途中で形成される。画像が形成された記録材は、記録材排出口３６から排出されて、記録材排出トレイ２５によって保持される。
【００６４】
蓋体である前カバー部３１は、弾発性を有し、たとえばプラスチック素材などによって形成される。前カバー部３１は、筐体本体３０に対して前カバー軸線Ｌ３１まわりに角変位可能に、第１本体側部３０ａに連結される。前カバー軸線Ｌ３１は、予め定める蓋体角変位軸線であり、上カバー軸線Ｌ４１と平行である。
【００６５】
前カバー部３１は、大略的には、前カバー軸線Ｌ３１に垂直な断面形状がＬ字状になるように形成される。前カバー部３１は、前カバー部３１の一側部である第１前カバー側部３１ａと、前カバー部３１の他側部である第２前カバー側部３１ｂとを有する。第１前カバー側部３１ａおよび第２前カバー側部３１ｂは、第２方向Ｂに関して、ともに第３本体側部３０ｃ近傍と第４本体側部３０ｄ近傍とにわたって延在する。第１前カバー側部３１ａは、その一端部５５が前カバー軸線Ｌ３１まわりに角変位可能に第１基部側部４０ａに連結される。第１前カバー側部３１ａの他端部５６には、第２前カバー側部３１ｂが突出して設けられる。
【００６６】
前カバー部３１は、筐体本体３０に対して、第１前カバー側部３１ａで前カバー軸線Ｌ３１まわりに角変位可能に連結される。前記収容空間３２は、第１前カバー側部３１ａを、筐体本体３０に対して前カバー軸線Ｌ３１まわりに角変位させることによって、開閉される。通信装置２０を使用する状態で、第１前カバー側部３１ａが、筐体本体３０に対して、第１前カバー角変位方向Ｅ１に向けて角変位されると、収容空間３２が開放される。第１前カバー角変位方向Ｅ１は、前カバー部３１の前カバー軸線Ｌ３１まわりの角変位方向のうち、前カバー部３１が筐体本体３０から離反するように角変位する方向である。前カバー部３１が収容空間３２を開放した状態では、第１前カバー側部３１ａの他端部５６は、第１基部側部４０ａから離反しており、第２前カバー側部３１ｂは、収容空間３２から通信装置２０外部に配置される。
【００６７】
収容空間３２が開放された状態で、第１前カバー側部３１ａが、筐体本体３０に対して、第２前カバー角変位方向Ｅ２に向けて角変位されると、収容空間３２が閉塞される。第２前カバー角変位方向Ｅ２は、前カバー部３１の前カバー軸線Ｌ３１まわりの角変位方向のうち、前カバー部３１が第１基部側部４１ａに近接するように角変位する方向である。前カバー部３１が収容空間３２を閉塞する状態では、第１前カバー側部３１ａは、第１基部側部４０ａに沿って配置される。
この状態では、第１前カバー側部３１ａの一端部５５は、第１前カバー側部３１ａの他端部５６よりも下方に配置される。
【００６８】
また前カバー部３１が収容空間３２を閉塞する状態では、第２前カバー側部３１ｂは、収容空間３２に収容され、第２本体側部３０ｂに向けて延びて配置される。この状態では、第２前カバー側部３１ｂは、下ガイド部分４７ｂに間隔をあけて対向する。これによって操作者が第２前カバー側部３１ｂを操作可能な操作空間６９が形成される。このように前カバー部３１を筐体本体３０に対して角変位させることによって、収容空間３２を開閉することができる。
【００６９】
また収容空間３２には、係止部５７が、第１前カバー側部３１ａ近傍に配置される状態で収容される。係止部５７は、たとえば第３本体側部３０ｃおよび第４本体側部３０ｄによって保持される。前カバー部３１によって収容空間３２を閉塞するとき、係止部５７は、前カバー部３１が収容空間３２に向けて倒れ込まないように、第１前カバー側部３１ａを係止する。係止部５７を設けることによって、収容空間３２を閉塞するときに、前カバー部３１を第１基部側部４０ａに沿う位置に規定することができる。
【００７０】
前記基部上部４４は、前カバー部３１と係合および係合解除可能な基部係合部６４を有する。具体的には基部係合部６４は、第３延在部分４４ａの第１基部側部４０ａに臨む端部に設けられる。基部係合部６４は、大略的に下方に向けて開放する凹状に形成される。前記前カバー部３１は、筐体本体３０に対して、第２前カバー側部３１ｂで収容空間３２を開く方向に予め定める設定力以上の外力が与えられると係合解除可能に係合される。第２前カバー側部３１ｂは、基部上部４４の基部係合部６４と係合および係合解除可能なカバー係合部６７を有する。
カバー係合部６７は、前カバー部３１が収容空間３２を閉塞する位置に配置されるとき、基部係合部６４に係合する。カバー係合部６７と基部係合部６４との係合は、操作者が操作空間６９に手を挿入して、第２前カバー側部３１ｂに前記設定力以上の外力を与えことによって解除される。これによって前カバー部３１が第１前カバー角変位方向Ｅ１に角変位して、収容空間３２が開放される。
【００７１】
前述の通信装置２０は、操作パネル部６０およびハンドセット６１をさらに含んで構成される。操作パネル部６０は、操作者の入力操作の結果を、通信装置２０の制御手段（図示せず）に与えたり、操作者に各種の情報を報知するために表示するための手段である。操作パネル部６０は、筐体本体３０の第１本体底部３０ａに設けられる。具体的には操作パネル部６０は、上カバー部４１に設けられる。操作パネル部６０は、操作部分６０ａおよび表示部分６０ｂを有する。操作部分６０ａは、テンキーおよび短縮ボタンなどの操作ボタンを有する。操作部分６０ａは、操作者が第１本体側部３０ａに対向する状態で、操作しやすい位置に配置されている。操作者は、操作部分６０ａの操作ボタンを操作して、各種の設定を入力することができる。表示部分６０ｂは、たとえば操作者の入力操作の結果および通信装置２０の動作状態などの各種の情報が表示される。表示部分６０ｂは、たとえば液晶ディスプレイ（Ｌｉｑｕｉｄ  Ｃｒｙｓｔａｌ  Ｄｉｓｐｌａｙ；略称ＬＣＤ）によって実現される。
【００７２】
上カバー上部４１ｃは、前述のように第２上カバー側部４１ｂから第１上カバー側部４１ａに向かうにつれて、下方に傾斜する。これによって操作者から離れた位置に配置される操作ボタンおよび表示部分６０ｂが見にくいこと、および操作ボタンを押し間違うなどの不具合が生じない。したがって操作者は、操作ボタンを容易に操作できるとともに、表示部分６０ｂに表示される情報を容易にかつ確実に確認することができる。
【００７３】
通信装置２０は、たとえば電話回線に接続されており、電話装置の機能を有する。ハンドセット６１は、操作者が他人と通話するための手段である。ハンドセット６１は、たとえば基部上部４０ｅの所定の保持位置で保持される。このハンドセット６１を用いて、操作者は、操作部分６０ａを操作して、電話番号を入力するなどして、友人などと通話することができる。
【００７４】
図３は、インクカートリッジ５３を交換するときの前カバー部３１および原稿排出トレイ２４の動作を説明するための図である。図４は、図３の前カバー部３１および原稿排出トレイ２４を拡大して示す断面図である。図５は、上カバー部４１を開けた状態で、上方から見た通信装置２０を示す平面図である。図３および図４において、部分的に厚みを省略している。また図３において、原稿供給トレイ２２などを省略して、通信装置２０を簡略化して示している。前記基部上部４４は、前述のように、前カバー部３１のカバー係合部６７に係合する基部係合部６４を有する。基部係合部６４は、具体的には、第１突出片６５および第２突出片６６を有する。第１突出片６５および第２突出片６６は、基部上部４４に略垂直であり、基部上部４４から下方に向けて突出する。第１および第２突出片６５，６６は、板状に形成され、それらの厚み方向が略平行に配置される。第１突出片６５は、第２突出片６６に比べて第１本体側部３０ａ寄りに配置される。第２突出片６６は、第１突出片６５に間隔をあけて、第２本体側部３０ｂ寄りに配置される。
【００７５】
第１突出片６５および第２突出片６６は、相互に対向する各一表面が平面に形成される。基部上部４４と第１突出片６５とによって形成され、かつ第１本体側部３０ａに臨む表面、すなわち基部係合部６４の第１基部側部４０ａに臨む一表面６４ａは、平面に形成される。基部係合部６４の前記一表面６４ａは、下方に向かうにつれて、第２本体側部４０ｂに近接する方向に傾斜する。このように基部係合部６４は、基部上部４４の一部と第１および第２突出片６５，６６とによって、凹状に形成される。この基部係合部６４には、前カバー部３１のカバー係合部６７が操作者による所定の操作によって係合解除可能に係合する。
【００７６】
前記前カバー部３１の第２前カバー側部３１ｂは、前述のように基部係合部６４と係合するカバー係合部６７を有する。カバー係合部６７は、第１突出片６５と第２突出片６６との間に下方から嵌り込む爪部分６８を有する。爪部分６８は、前カバー部３１が収容空間３２を閉塞する状態で、第２水平方向に垂直な断面形状が上方に向かうにつれて先細状に形成される。カバー係合部６７が基部係合部６４に係合する状態で、爪部分６８は、第１突出片６５によって、収容空間３２を開く方向に変位することが阻止される。
【００７７】
カバー係合部６７が基部係合部６４に係合する状態で、爪部分６８は、その第１突出片６５に臨む一表面６８ａが、第１突出片６５の前記一表面に略平行な平面に形成される。カバー係合部６７が基部係合部６４に係合する状態で、爪部分６８の前記一表面６８ａは、第１突出片６８の前記一表面に当接する。
【００７８】
カバー係合部６７が基部係合部６４に係合する状態で、爪部分６８は、その第２突出片６６に臨む他表面６８ｂが近接領域７３と離反領域７４とを有する曲面に形成される。近接領域７３では、爪部分６８の他表面６８ｂは、爪部分６８の先端に向かうにつれて、第２突出片６６に近接する曲面に形成される。離反領域７４では、爪部分６８の他表面６８ｂは、爪部分６８の先端に向かうにつれて、第２突出片６６から離反する曲面に形成される。カバー係合部６７が基部係合部６４に係合する状態では、爪部分６８の他表面６８ｂは、離反領域７４で第２突出片６６に当接している。
【００７９】
本実施の形態において、前カバー部３１は、その重心位置が、前カバー軸線Ｌ３１を含みかつ第１水平方向に垂直な仮想平面によって分割される２つ領域において、一方の領域に比べて第２本体側部３０ｂから離反する他方の領域に含まれる。これによってカバー係合部６７と基部係合部６４との係合が解除されたときに、前カバー部３１は、その自重によって第１前カバー角変位方向Ｅ１に角変位することができる。
【００８０】
前記原稿排出トレイ２４は、前カバー部３１に対して、保持体角変位軸線である原稿トレイ軸線Ｌ２４まわりに角変位可能に連結される。原稿トレイ軸線Ｌ２４は、前カバー軸線Ｌ３１と平行な軸線である。原稿排出トレイ２４は、前カバー部３１の第２前カバー側部３１ｂに連結される。原稿排出トレイ２４は、前カバー部３１が閉じた状態で、保持位置である原稿保持位置８０と、収納位置である原稿トレイ収納位置８１とにわたって、原稿トレイ軸線Ｌ２４まわりに角変位可能である。前カバー部３１が閉じた状態とは、前カバー部３１が収容空間３２を閉塞する状態である。
【００８１】
原稿保持位置８０では、原稿排出トレイ２４は、筐体２１の排出口が形成される側部、すなわち第１本体側部３０ａから離反する方向に延びて配置される。原稿排出トレイ２４は、原稿保持位置８０で、原稿排出口３５から排出される原稿を受ける。原稿トレイ収納位置８１では、原稿排出トレイ２４は、上カバー部４１に部分的に当接して、第１本体側部３０ａに沿って配置される。原稿排出トレイ２４は、原稿保持位置８０では、第２前カバー部３１ｂによって、下方から保持されて、下方に向かう角変位が阻止されている。
【００８２】
原稿排出トレイ２４は、第１原稿トレイ部７０、第２原稿トレイ部７１および第３原稿トレイ部７２を有する。第１原稿トレイ部７０は、原稿保持位置８０において、収容空間３２に収容されている。第１原稿トレイ部７０は、その一端部で第２前カバー側部３１ｂのカバー係合部６７近傍に、原稿トレイ軸線Ｌ２４まわりに角変位可能に連結される。また第１原稿トレイ部７０は、その他端部で第２原稿トレイ部７１の一端部に滑らかに連結される。第１原稿トレイ部７０は、原稿保持位置８０において、第１水平方向Ａに関して第１本体側部３０ａに近接する方向に向かうにつれて、下方に傾斜して延びて配置される。第１原稿トレイ部７０は、原稿保持位置８０において、第２前カバー側部３１ｂによって下方から保持される。
【００８３】
第２原稿トレイ部７１は、凸部２４ａを有する。凸部２４ａは、原稿保持位置８０において、上方に向けて突出する。凸部２４ａは、第２原稿トレイ部７１の一端部近傍に設けられる。凸部２４ａは、原稿トレイ収納位置８１において、第１上カバー部４１に当接する。第２原稿トレイ部７１は、原稿保持位置８０において、凸部２４ａを除く残余の部分が第１水平方向Ａに略平行に延びて配置される。第２原稿トレイ部７１は、その一端部で第１原稿トレイ部７０の他端部に滑らかに連結される。また第２原稿トレイ部７１は、その他端部で第３原稿トレイ部７２の一端部に滑らかに連結される。
【００８４】
第３原稿トレイ部７２は、原稿保持位置８０において、第１水平方向Ａに関して第１本体側部３０ａから離反する方向に向かうにつれて、上方に傾斜して延びる。第３原稿トレイ部７２は、詳細には、傾斜量が相互に異なる第１上方傾斜部分７２ａと第２上方傾斜部分２７ｂとを有する。第１上方傾斜部分７２ａと第２上方傾斜部分２７ｂとは、相互に滑らかに連結される。第１上方傾斜部分７２ａは、第２上方傾斜部分７２ｂよりも第２原稿トレイ部７１寄りに配置されて、第２原稿トレイ部７１の他端部に滑らかに連結される。第１上方傾斜部分７２ａは、たとえば第２上方傾斜部分７２ｂに比べて、第１水平方向Ａに延びて配置される領域が大きくなるように配置される。第１上方傾斜部分７２ａは、たとえば第２上方傾斜部分７２ｂに比べて、傾斜量が小さくなるように設けられる。
【００８５】
原稿保持位置８０に配置される原稿排出トレイ２４で原稿を受けるにあたって、排出された原稿は、その先端が第２原稿トレイ部７１の一端部と他端部との間の中間部に当接する。その後、原稿が原稿搬送部４８によってさらに排出されると、原稿は、第２原稿トレイ部７１に沿って、原稿排出トレイ２４に当接する領域を大きくしながら、第３原稿トレイ部７２に向けて変位する。原稿に原稿搬送部４８からの外力が与えられなくなると、原稿は、慣性力で第２および第３原稿トレイ部７１，７２に沿って変位する。このとき第１および第２ガイド部分４７ａ，４７ｂが原稿供給口３７から原稿排出口３５に向かうにつれて下方に傾斜するので、原稿の後端が原稿排出口３５から排出されないなどの不具合を防いで、原稿を容易に排出することができる。
【００８６】
さらに第３原稿トレイ部７２が第１本体側部３０ａから離反する方向に向かうにつれて上方に傾斜するので、原稿には、その自重の分力が原稿の進行方向とは逆向きに作用する。これによって原稿は、変位する量が徐々に小さくなり、最終的には、その先端が第２上方傾斜部分７２ｂを超えないようにして係止される。
したがって原稿排出口３５から排出された原稿は、第２原稿トレイ部７１および第１第３原稿トレイ部７２ａで保持される。このように原稿排出トレイ２４を構成することによって、原稿を原稿排出トレイ２４から脱落させることなく、確実に保持することができる。
【００８７】
また第２上方傾斜部分７２ｂが、その傾斜量が第１上方傾斜部分７２ａよりも小さくなるように形成されている。これによって操作者が、原稿を、第１水平方向Ａに関して原稿排出トレイ２４に沿って取り出すときに、傾斜量が第１上方傾斜部分７２ａよりも小さくなるように形成されるときに比べて、容易に取り出すことができる。
【００８８】
前記凸部２４ａは、詳細には、排出される原稿が第２原稿トレイ部７１の中間部に当接する状態で、当接する原稿と第２原稿トレイ部７１とに挟まれる領域内に配置される。これによって凸部２４ａが、排出される原稿の先端に当たるなどして、原稿の排出動作に支障を与えることを防止することができる。さらに原稿排出トレイ２４で受けた原稿が、第３原稿カバー部分７２によって第１本体側部３０ａに近接する方向に変位したときであっても、凸部２４ａによって原稿の後端が係止される。これによって原稿を所定の位置で確実に受けることができる。
【００８９】
前述のように構成される通信装置２０において、前カバー部３１によって収容空間３２を開放するにあたって、操作者は、第２前カバー側部３１ｂと下ガイド部分４７ｂとの間の操作空間６９に、手を挿入するなどして、前カバー部３１の第２前カバー側部３１ｂを操作する。第２前カバー側部３１ｂには、収容空間３２を開放するための押圧部７５が設けられる。押圧部７５は、第２前カバー側部３１ｂの略中央部、かつカバー係合部６７寄りに設けられる。押圧部７５は、収容空間３２が閉塞される状態で、下ガイド部分４７ｂに対向する。この押圧部７５を操作者が押圧することによって、基部係合部６４とカバー係合部６７との係合を解除し、前カバー部３１を第１前カバー角変位方向Ｅ１に角変位させる。
【００９０】
基部係合部６４とカバー係合部６７との係合は、押圧部７５に収容空間３２を開く方向に予め定める設定力以上の外力が与えられると解除される。収容空間３２を開く方向とは、操作者が、たとえば押圧部７５を第２前カバー側部３１ｂに対して略垂直に、かつ基部側に向かう方向と、操作者側に向かう方向とを合成した方向である。予め定める設定力以上の外力とは、基部係合部６４とカバー係合部６７との係合が解除するのに必要な外力であり、たとえば押圧部７５が上下方向Ｃに関して下方に１ミリメートル程度変位するような外力である。操作者が収容空間３２を開く方向に設定力以上の外力を押圧部７５に与えると、前カバー部３１の弾発性によって、第２前カバー側部３１ｂが第１前カバー側部３１ａに対して第２水平方向Ａと平行な軸線まわりに角変位する。これによってカバー係合部６７の爪部分６８が、基部係合部６４から離反するように下方に向けて変位する。
【００９１】
換言すると爪部分６８は、基部係合部６４から離反するように、第１突出片６５に沿って下方に変位する。前カバー部３１には、操作者側に向かう方向にも外力があたえられるので、その後爪部分６８は、第１突出片６５の下方側端部よりも下方に配置されると、一表面６８ａで第１突出片６５の先端に当接した状態で、第１基部側部４０ａに向かって摺動する。これによってカバー係合部６７が基部係合部６４から離反して、基部係合部６４とカバー係合部６７との係合が解除される。前記係合が解除されると、前カバー部３１は、操作者が外力を与えなくても、その自重によって第１前カバー角変位方向Ｅ１に角変位する。このようにして操作者は、図３および図４の矢符Ｆに示すように、前カバー部３１を操作して、収容空間３２を開放する。その後操作者は、図５に示すように、操作者の間近に配置されるインクカートリッジ５３を交換する作業などを行う。
【００９２】
前カバー部３１には、原稿排出トレイ２４が連結されるので、図３の矢符Ｇに示すように、前カバー部３１の第１前カバー角変位方向Ｅ１への角変位に伴って、原稿排出トレイ２４も第１前カバー角変位方向Ｅ１まわりに揺動する。このようてに原稿排出トレイ２４が筐体本体３０に固定されていないので、原稿排出トレイ２４によって、作業スペースが狭くなったり、インクカートリッジ５３の取付け位置が遮られたりするなどの不具合が生じることが防がれる。これによって広い作業スペースを確実に確保することができるとともに、作業性を向上することができる。
【００９３】
このとき画像形成部５２が、前カバー部３１近傍にかつ基部上部４４の下方に配置されるので、前カバー部３１によって収容空間３２を開放したとき、操作者は、インクカートリッジ５３の交換作業を、収容空間３２において奥に手を挿入することなく、自身の間近で行うことができる。これによって前カバー部３１によって収容空間３２を開放して、収容空間３２においてメンテナンスなどの作業をするときに、操作者は、容易にかつ確実に作業することができる。したがってメンテナンスをするときの作業性をさらに向上することができる。
【００９４】
さらに原稿排出トレイ２４は、原稿トレイ軸線Ｌ２４まわりに角変位可能に、前カバー部３１に連結されるので、原稿排出トレイ２４を前カバー部３１に対して角変位させて、載置台２７に沿って配置することができる。これによって作業スペースを充分に広く確保することができる。また爪部分６８の一表面６８ａを、先端に向かうにつれて、爪部分６８の他表面に近接する曲面に形成することによって、爪部分６８を単なる直方体状の板状に形成する場合に比べて、基部係合部６４とカバー係合部６７との係合を容易に解除させることができる。
【００９５】
前記押圧部７５には、複数本の帯部分７５ａが設けられる。各帯部分７５ａは、第２水平方向Ｂと略平行に延び、相互に間隔をあけて形成される。帯部分７５ａは、第２水平方向Ｂに垂直な断面形状が凸状に形成される。このように押圧部７５に帯部分７５ａを形成することによって、操作者が押圧部７５を押圧するときに、操作者の指が帯部分７５ａに係止される。これによって押圧部７５が帯部分７５ａなどの突起ではなく、平面を有する場合に比べて、操作者が前カバー部３１を容易にかつ確実に操作することができる。
【００９６】
前記原稿排出トレイ２４は、前カバー部３１に設けられるので、前カバー部３１の角変位に伴って、筐体本体３０に対して前カバー軸線Ｌ３１まわりに揺動する。このように収容空間３２を開いた状態では、原稿排出トレイ２４が筐体本体３０から離反した位置に配置されるので、操作者が作業するときに、原稿排出トレイ２４によって収容空間３２が遮られることがなく、広い作業スペースを確実に確保することができるとともに、作業性を向上することができる。さらに原稿排出トレイ２４は、前カバー部３１に対して、原稿トレイ軸線Ｌ２４まわりに角変位可能に連結されるので、載置台２７に沿って配置することができる。これによって充分に広い作業スペースを確保することができる。
【００９７】
また図５に示すように、原稿排出トレイ２４は、円形の断面を有する棒状の部材を大略的にコの字状に屈曲させて形成される。原稿排出トレイ２４は、弾発性を有する材料から成る。本実施の形態では、原稿排出トレイ２４は、２つの第１原稿トレイ部分７０と、２つの第２原稿トレイ部分７１と、１つの第３原稿トレイ部分７２とを有する。原稿排出トレイ２４は、前カバー部３１に連結されない自然状態では、第１原稿トレイ部分７０に向かうにつれて、拡開するように形成される。原稿排出トレイ２４の第１原稿トレイ部分７０は、第２前カバー側部３１ｂに連結される一端部が、第２水平方向Ｂに向けてＬ字状に屈曲するように形成される。第１原稿トレイ部分７０の一端部は、Ｌ字状に屈曲する部分のうち水平方向Ｂに平行な２つの挿通部分８２ａ，８２ｂで、前カバー部３１に連結される。
【００９８】
前記前カバー部３１には、図５に示すように、２つの爪部分６８が相互に間隔をあけて配置される。第２前カバー側部３１ｂは、相互に対向し、かつ第２水平方向Ｂに略垂直な２つの側部８４ａ，８４ｂを有する。第２前カバー側部３１ｂの前記２つの側部８４ａ，８４ｂは、第２方向Ｂに関して、２つの爪部分６８の間隔よりも大きい間隔をあけて配置される。この２つの側部８４ａ，８４ｂには、第２水平方向Ｂに貫通する透孔８３ａ，８３ｂがそれぞれ形成される。第２前カバー部３１ｂの透孔８３ａ，８３ｂは、第１原稿トレイ部分７０の挿通部分８２ａ，８２ｂの寸法に比べて、やや大きくなるように形成される。第２前カバー部３１ｂの透孔８３ａ，８３ｂには、第１原稿トレイ部分７０の前記挿通部分８２ａ，８２ｂが挿通される。
【００９９】
挿通部分８２ａ，８２ｂは、透孔８３ａ，８３ｂに挿通される状態で、第２前カバー側部３１ｂに下方側から当接される。また原稿排出トレイ２４は、第１原稿トレイ部分７０に向かうにつれて拡開するように形成されるので、第１原稿トレイ部分７０が一定の押圧力を第２前カバー部３１ｂの側部８４ａ，８４ｂに与える状態で、確実に連結される。また挿通部分８２ａ，８２ｂが第２前カバー側部３１ｂに下方側から当接することによって、第１原稿トレイ部分７０の下方に向かう角変位を阻止することができる。このようにして原稿排出トレイ２４は、原稿トレイ軸線Ｌ２４まわりに角変位可能に、かつ着脱可能に前カバー部３１に連結される。
【０１００】
インクカートリッジ５３の交換などの作業を終了して、前カバー部３１によって収容空間３２を閉塞するにあたって、操作者は、前カバー部３１を第２前カバー角変位方向Ｅ２に向けて角変位させる。このときカバー係合部６７と基部係合部６４とが相互に係合されて、前カバー部３１と基部上部４４とが連結される。具体的には前カバー部３１が第２前カバー角変位方向Ｅ２に角変位すると、爪部分６８は、近接領域７３で基部係合部６４の一表面６４ａに当接する。さらに前カバー部３１が第２前カバー角変位方向Ｅ２に角変位すると、近接領域７３で基部係合部６４の一表面６４ａに当接する状態で、爪部分６８は、第１基部側部４０ａに向けて変位しながら、基部係合部６４の第１突出片６５の先端に向けて摺動する。
【０１０１】
前カバー部３１が第２前カバー角変位方向Ｅ２にさらに角変位すると、第１突出片６５の先端で、爪部分６８は、下方への変位に加えて、基部係合部６４の一表面６４ａと当接する領域を近接領域７３から離反領域７４に変えながら、第２基部側部４０ｂに向けて第１突出片６５の先端を摺動する。爪部分６８の先端が、第２基部側部４０ｂに向けて第１突出片６５の先端を摺動し、この先端から離反する。また爪部分６８は、基部係合部６４の一表面６４ａに線接触した状態で、基部係合部６４を摺動するしている。その後爪部分６８は、第１突出片６５と第２突出片６６との間に下方から嵌り込んで、基部係合部６４とカバー係合部６７とが係合される。これによって基部上部４４と前カバー部３１とが連結されて、前カバー部３１によって収容空間３２が閉塞される。
【０１０２】
前記爪部分６８は、その一表面６８ａが曲面に形成されて、基部係合部６４を摺動するとき、線接触するので、平面に形成される場合に比べて、基部係合部６４の前記一表面から受ける摩擦力を可及的に小さくすることができる。これによって基部係合部６４とカバー係合部６７とを容易に係合させやすくすることができる。このように前カバー部３１を構成することによって、操作者が、前カバー部３１を操作して収容空間３２を容易に開閉することができる。
【０１０３】
図６は、凸部２４ａを有さない原稿排出トレイ２４が、原稿トレイ収納位置に向けて変位したときの上カバー部４１の動作を説明するための図である。図７は、凸部２４ａを有する原稿排出トレイ２４が、原稿トレイ収納位置に向けて変位したときの上カバー部４１の動作を説明するための図である。図６および図７において、部分的に厚みを省略している。また図６において、原稿排出トレイ２４の構成が異なるだけであるので、同様の構成には同様の参照符号を付し、説明を省略する。図６の通信装置２０Ａでは、原稿排出トレイ２４は、凸部２４ａを有さないけれども、前カバー部３１に連結されるので、広い作業スペースを確保することができるとともに、作業性を向上することができる。
【０１０４】
通信装置２０Ａが使用される状態において、たとえば原稿排出トレイ２４Ａに、図６の矢符Ｈに示すように、操作者が接触するなどして、原稿トレイ収納位置に向けて角変位するような外力が誤って与えられると、原稿排出トレイ２４Ａは、下ガイド部分４７ｂに下方から当接して押圧する。原稿排出トレイ２４が下ガイド部分４７ｂを押圧する押圧方向は、図６の矢符Ｊに示すように、第１仮想平面９０Ａよりも上カバー部４１に向かう方向になる。第１仮想平面９０Ａは、上カバー部４１における原稿排出トレイ２４の当接位置９１Ａと、上カバー部４１の上カバー軸線Ｌ４１とを含む仮想平面である。当接位置９１Ａは、原稿排出トレイ２４に与えられる外力に基づく回転モーメントの大きさに応じて、上方に向けて移動する。この回転モーメントの大きさによっては、前記ロック機構が解除されて、上カバー部４１が、原稿排出トレイ２４Ａによって、図６の矢符Ｋに示すように、第１上カバー角変位方向Ｄ１に角変位する。
【０１０５】
上カバー部４１が第１角変位方向Ｄ１に角変位した後に、原稿排出トレイ２４Ａに与えられる外力が無くなり、上カバー部４１が、通信装置２０を使用する状態における位置近傍に戻ったとしても、原稿読取り部４９と原稿送りローラ４８ｂとの間にわずかな隙間があれば、原稿を正確に搬送することができない。この場合、操作者が、第２上カバー角変位方向Ｄ２に向かうように外力を、上カバー部４１に故意に与えない限り不具合を解消することができない。
【０１０６】
原稿排出トレイ２４に凸部２４ａを設けることによって、前述の不具合を解消することができる。原稿排出トレイ２４ａに原稿トレイ収納位置８１に向かって角変位する外力が与えられると、原稿排出トレイ２４ａは、凸部２４ａで第１上カバー側部４１ａに当接する。凸部２４ａが第１上カバー側部４１ａに与える押圧力の押圧方向は、図７の矢符Ｍに示すように、第２仮想平面９０よりも基部４０側に向かう方向となる。第２仮想平面９０は、上カバー部４１における原稿排出トレイ２４ａの当接位置９１と、上カバー軸線Ｌ４１とを含む仮想平面である。
【０１０７】
前記凸部２４ａは、第２水平方向Ｂからの側面視で、大略的に上方に突出する山形状に湾曲している。凸部２４ａは、湾曲する部分のうち第１基部側面４１ａ寄りの数ミリメートルのスロープ部分で、第１上カバー部４１に当接するように形成される。これによって当接位置９１で上カバー部４１に与えられる回転モーメントが極めて小さいか、および上カバー部４１に第２上カバー角変位方向Ｄ２に角変位するような外力が与えられるかのいずれかになる。これによって上カバー部４１の第１上カバー角変位方向Ｄ１への角変位が防がれ、前記ロック機構が解除されることを防止することができる。したがって原稿処理手段４５による処理を確実に行うことができる。
【０１０８】
原稿排出トレイ２４における凸部２４ａの配設位置および形状は、上カバー軸線Ｌ４１の位置および第１上カバー側部４１ａの載置面２７ａに対する傾斜角などを考慮して決定される。また第１原稿トレイ部分７０の傾斜角なども、前カバー部３１および上カバー部４１などの配設状態に応じて決定される。また原稿排出トレイ２４に不所望な外力が与えられても、原稿排出トレイ２４は、弾発性を有するので、外力が無くなれば元の状態に復帰する。このように接触などして、原稿排出トレイ２４に与えられる不所望な外力に起因する原稿の画像の読取り失敗と、原稿を搬送するときの送りむらの発生とを未然に防止することができる。
【０１０９】
操作者は、自分の指で押圧部７５を押圧する代りに、原稿排出トレイ２４を用いて、前カバー部３１を開く方向に設定力以上の外力を与えることによって、収容空間３２を開放することができる。具体的には操作者は、原稿排出トレイ２４を原稿トレイ収納位置に配置して、コの状態で、第２前カバー側部３１ｂに向かう外力を原稿排出トレイ２４に与える。これによって操作者が押圧部７５を操作して収容空間３２を開放するときと同様に、基部係合部６４とカバー係合部６７との係合が解除されて、収容空間３２が開放される。
【０１１０】
このように原稿排出トレイ２４を、原稿排出口３５からの原稿を保持する手段としてだけでなく、収容空間３２を開放するために前カバー部３１を操作するための手段として用いることができる。さらに原稿排出トレイ２４が第２前カバー側部３１ｂに設けられるので、原稿排出トレイ２４を介して第２前カバー側部３１ｂに、設定力以上の外力を効率良く与えることができる。これによって基部係合部６４とカバー係合部６７との係合を容易に解除することができるとともに、前カバー部３１および原稿排出トレイ２４の変形および破損を防止することができる。
【０１１１】
図８は、原稿排出トレイ２４と前カバー部３１との関係を説明するための図である。第２前カバー側部３１ｂの２つの側面８４ａ，８４ｂは、第２前カバー側部３１ｂの一端部と他端部とにわって延びて配置される。前記２つの側面８４ａは、第２前カバー側部３１ｂの一端部から他端部に向かうにつれて、相互に平行に延びる領域と、透孔が形成される領域と、第２前カバー側部３１ｂの他端部に向かうにつれて相互に近接するように湾曲する領域と、相互に平行に延びる領域とを有する。原稿排出トレイ２４を前カバー部３１に連結するにあたって、第１原稿トレイ部分７０の一方の挿入部分８２ａは、第２前カバー側部３１ｂの一方の側部８４ａに沿って案内される。このとき第１原稿トレイ部分７０の他方の挿入部分８２ｂは、第２前カバー側部３１ｂの他方の側部８４ｂに沿って案内される。
【０１１２】
またこのとき２つの第１原稿トレイ部分７０は、自然状態に比べて相互に近接した状態から、自然状態に戻ろうと相互に離反するように変位している。その後、一方の挿入部分８２ａは、一方の透孔８３ａに挿通され、他方の挿入部分８２ｂは、他方の透孔８３ｂに挿通される。このように第２前カバー側部３１ｂの２つの側部８４ａ，８４ｂを構成することによって、原稿排出トレイ２４を前カバー部３１に容易に連結することができる。
【０１１３】
さらに第２前カバー側部３１ｂは、第２方向Ｂに関して一方の側部８４ａと他方の側部８４ｂとの間に、２つのリブ８５ａ，８５ｂが設けられる。２つのリブ８５ａ，８５ｂは、第２前カバー側部３１ｂが下ガイド部分４７ｂに対向される側に向けて、第２前カバー側部３１ｂから突出して設けられる。一方のリブ８５ａは、第２水平方向Ｂに関して、一方の側部８４ａと間隔をあけて配置される。
一方のリブ８５ａは、第２前カバー側部３１ｂの一端部から他端部に向かうにつれて、一方の側部６４ａにおいて一方の透孔８３ａが形成される領域と、相互に平行に延びる領域とにわたって延在する。
【０１１４】
他方のリブ８５ｂは、第２水平方向Ｂに関して、他方の側部８４ｂと間隔をあけて配置される。他方のリブ８５ｂは、第２前カバー側部３１ｂの一端部から他端部に向かうにつれて、他方の側部６４ｂにおいて他方の透孔８３ｂが形成される領域と、相互に平行に延びる領域とにわたって延在する。２つのリブ８５ａ，８５ｂの第２前カバー部３１ｂからの突出量は、たとえば原稿排出トレイ２４の外径寸法のおよそ半分以下になるように形成される。本実施の形態では、２つのリブ８５ａ，８５ｂは、透孔８３ａ，８３ｂ近傍の部分が、第２前カバー側部３１ｂの他端部近傍の部分に比べて突出量が多くしてある。これによって操作者が原稿排出トレイ２４に接触するなどして、原稿排出トレイ２４への外力が非常に小さければ、２つのリブ８５ａ，８５ｂによって第１原稿トレイ部分７０を係止することができる。
【０１１５】
また原稿排出トレイ２４が前カバー部３１に連結される状態で、接触などによって、挿入部分８２ａ，８２ｂの軸線、すなわち原稿トレイ軸線Ｌ２４に沿って大きな外力が与えられたとき、原稿排出トレイ２４は、弾発性を有するので、変形して前カバー部３１から離脱する。これによって原稿排出トレイ２４が不所望に変形したり、第２前カバー側部３１ｂの側部８４ａ，８４ｂが破損することを防止することができる。また原稿排出トレイ２４が、第２前カバー側部３１ｂのカバー係合部６７近傍で連結されるので、通信装置２０の外観が損なわれることなく、デザイン性を向上することができる。
【０１１６】
本実施の形態によれば、原稿排出トレイ２４が前カバー部３１に設けられる。
これによって前カバー部３１を筐体本体３０に対して変位させて収容空間３２を開放するときに、原稿排出トレイ２４を、前カバー部３１とともに筐体本体３０から離反させて、邪魔にならないように配置することができる。したがって操作者が、たとえばインクカートリッジ５３などの消耗品を交換する作業、およびシート体を搬送するローラなどに付着したごみを取り除く作業などのメンテナンスをするときに、原稿排出トレイ２４が作業スペースを狭めることを防いで、広い作業スペースを確保することができる。さらにメンテナンスをするときに、操作者の目前に原稿排出トレイ２４がないので、収容空間３２が遮られることを防いで、操作者が収容空間３２を確実に目視することができる。これによって作業性を向上することができる。
【０１１７】
また本実施の形態によれば、前カバー部３１が、筐体本体３０に対して予め定める前カバー軸線Ｌ３１まわりに角変位可能に連結される。原稿排出トレイ２４が、前カバー部３１に対して前カバー軸線Ｌ３１と平行な原稿トレイ軸線Ｌ２４まわりに角変位可能に連結される。これによって前カバー部３１を角変位させて収容空間３２を開放したときに、原稿排出トレイ２４を前カバー部３１に対して角変位させて、作業スペースをさらに広くすることができる。また作業性を向上することができる。
【０１１８】
また本実施の形態によれば、操作者が原稿排出トレイ２４に誤って接触して、原稿排出トレイ２４が角変位して上カバー部４１に当接しても、原稿排出トレイ２４による押圧力が、上カバー部４１を閉じる方向に与えられる。これによって上カバー部４１が、収容空間３２を開く方向に誤って角変位することが防がれる。したがって収容空間３２が開放されることによって、シート体に対する処理が実行されないなどの不具合が発生することを防止して、シート体に対して処理を確実に実行することができる。
【０１１９】
また本実施の形態によれば、凸部２４ａが上カバー部４１に当接したときに、凸部２４ａが上カバー部４１に当接することによる押圧力を、上カバー部４１が閉じる方向に確実に与えることができる。これによって操作者が原稿排出トレイ２４に誤って接触して、原稿排出トレイ２４と上カバー部４１とが接触しても、上カバー部４１が角変位し、収容空間３２が開放されることを確実に防止することができる。
【０１２０】
また本実施の形態によれば、前カバー部３１が筐体本体３０に対して係合される状態で、前カバー部３１の第２前カバー側部３１ｂに連結される原稿排出トレイ２４ａを用いて、設定力以上の外力を与えることによって、前カバー部３１と筐体本体３０との係合を解除することができる。これによって原稿排出トレイ２４を、原稿排出口３５からの原稿を保持する手段としてだけでなく、収容空間３２を開放するために前カバー部３１を操作するための手段として用いることができる。さらに原稿排出トレイ２４を用いて、設定力以上の外力を前カバー部３１の第２前カバー側部３１ｂに効率良く与えて、前カバー部３１と筐体本体３０との係合を容易に解除することができるとともに、前カバー部３１および原稿排出トレイ２４の変形および破損を防止することができる。
【０１２１】
また本実施の形態によれば、原稿排出トレイ２４が、原稿トレイ軸線Ｌ２４に沿う方向の外力が与えられたときに、前カバー部３１から離脱可能に設けられる。これによって操作者が原稿排出トレイ２４に誤って接触したとき、原稿排出トレイ２４に与えられる外力が、原稿トレイ軸線Ｌ２４に沿う方向であれば、原稿排出トレイ２４が前カバー部３１から離脱される。したがって前カバー部３１および原稿排出トレイ２４が、外力によって不所望に変形したり、破損することを防止することができる。
【０１２２】
図９は、本発明の他の実施の形態である通信装置２０Ｂが備える原稿排出トレイ２４Ｂを説明するための図である。本実施の形態の通信装置２０Ｂにおいて、原稿排出トレイ２４Ｂを除くその他の構成は、前述の実施の一形態の通信装置２０と同様である。同様の構成には同一の参照符号を付し、同様の説明は省略する。原稿排出トレイ２４Ｂは、第１水平方向Ａに関して、凸部２４ａと挿入部分８２ａ，８２ｂとにわたる部分を除いて、板状の保持部材９１が設けられている。
前述の実施の一形態の通信装置２０と同様の効果を得ることができるとともに、たとえば前述の原稿排出トレイ２４によって形成される開口部から原稿が脱落することを防いで、様々なサイズの原稿に対して対応することができる。
【０１２３】
前述の本実施の形態は、本発明の例示に過ぎず、発明の範囲内において構成を変更してもよい。たとえばシート体処理装置は、小形複写機およびスキャナプリンタなどの画像形成装置であってもよいし、原稿読取り機能および印刷記録機能を備える多機能装置であってもよい。また上カバー部３１が収容空間３２を開閉できない構成であれば、前述の図６に示す通信装置２０Ａであっても、本発明の目的を充分に達成することができる。
【０１２４】
【発明の効果】
本発明によれば、シート保持体が蓋体に設けられるので、蓋体を筐体本体に対して変位させて収容空間を開放するときに、シート保持体を蓋体とともに変位させて、シート保持体を邪魔にならないように配置することができる。これによって操作者が、たとえばインクカートリッジなどの消耗品を交換する作業、およびシート体を搬送するローラなどに付着したごみを取り除く作業などのメンテナンスをするときに、シート体保持体が作業スペースを狭めることを防いで、広い作業スペースを確保することができる。さらにメンテナンスをするときに、操作者の目前にシート保持体がないので、シート保持体によって収容空間が遮られることを防いで、操作者が収容空間を確実に目視することができる。これによって作業性を向上することができる。
【０１２５】
また本発明によれば、蓋体が、筐体本体に対して予め定める蓋体角変位軸線まわりに角変位可能に連結される。シート保持体が、蓋体に対して蓋体角変位軸線と平行な保持体角変位軸線まわりに角変位可能に連結される。これによって蓋体を角変位させて収容空間を開放したときに、シート体保持体を蓋体に対して角変位させて、作業スペースをさらに広くすることができる。また作業性を向上することができる。
【０１２６】
また本発明によれば、操作者がシート保持体に誤って接触して、シート保持体が角変位してカバー部に当接したときであっても、シート保持体による押圧力が、カバー部を閉じる方向に与えられる。これによってカバー部が、開く方向に誤って角変位することが防がれる。したがって収容空間が開放されることによって、シート体に対する処理が実行されないなどの不具合が発生することを防止して、シート体に対して処理を確実に実行することができる。
【０１２７】
また本発明によれば、凸部がカバー部に当接したときに、凸部がカバー部に当接することによる押圧力を、カバー部が閉じる方向に確実に与えるようにすることができる。これによって操作者がシート保持体に誤って接触して、シート保持体とカバー部とが接触したときであっても、カバー部が角変位して収容空間が開放されることを確実に防止することができる。
【０１２８】
また本発明によれば、蓋体が筐体本体に対して係合される状態で、蓋体の他側部に連結されるシート保持体を用いて、設定力以上の外力を与えることによって、蓋体と筐体本体との係合を解除することができる。これによってシート保持体を、排出口からのシート体を保持する手段としてだけでなく、収容空間を開放するように蓋体を操作するための手段として用いることができる。さらにシート保持体を用いて、設定力以上の外力を蓋体の他側部に効率良く与えることによって、蓋体と筐体本体との係合を容易に解除することができるとともに、蓋体およびシート保持体の変形および破損を防止することができる。
【０１２９】
また本発明によれば、シート保持体が、保持体角変位軸線に沿う方向の外力が与えられたときに、蓋体から離脱可能に設けられる。これによって操作者がシート保持体に誤って接触したとき、シート保持体に与えられる外力が、保持体角変位軸線に沿う方向であれば、シート保持体が蓋体から離脱される。したがって蓋体およびシート保持体が、外力によって破損することを防止することができる。
【図面の簡単な説明】
【図１】本発明の実施の一形態である通信装置２０を簡略化して示す断面図である。
【図２】上方から見た通信装置２０を示す正面図である。図１において、部分的に厚みを省略している。
【図３】インクカートリッジ５３を交換するときの前カバー部３１および原稿排出トレイ２４の動作を説明するための図である。
【図４】図３の前カバー部３１および原稿排出トレイ２４を拡大して示す断面図である。
【図５】上カバー部４１を開けた状態で、上方から見た通信装置２０を示す平面図である。
【図６】凸部２４ａを有さない原稿排出トレイ２４が、原稿トレイ収納位置に向けて変位したときの上カバー部４１の動作を説明するための図である。
【図７】凸部２４ａを有する原稿排出トレイ２４が、原稿トレイ収納位置に向けて変位したときの上カバー部４１の動作を説明するための図である。
【図８】原稿排出トレイ２４と前カバー部３１との関係を説明するための図である。
【図９】本発明の他の実施の形態である通信装置２０Ｂが備える原稿排出トレイ２４Ｂを説明するための図である。
【図１０】ファクシミリ装置１の一例を簡略化して示す断面図である。
【符号の説明】
２０，２０Ａ，２０Ｂ  通信装置
２１  筐体
２４  原稿排出トレイ
２４ａ  凸部
２６  処理手段
３０  筐体本体
３０ａ  第１本体側部
３１  前カバー部
３１ａ  第１前カバー側部
３１ｂ  第２前カバー側部
３２  収容空間
３５  原稿排出口
４０  基部
４１  上カバー部
４６  記録材処理手段
５３  インクカートリッジ
８０  原稿保持位置
８１  原稿トレイ収納位置
【図１】
2004210482.tif 000003
【図２】
2004210482.tif 000004
【図３】
2004210482.tif 000005
【図４】
2004210482.tif 000006
【図５】
2004210482.tif 000007
【図６】
2004210482.tif 000008
【図７】
2004210482.tif 000009
【図８】
2004210482.tif 000010
【図９】
2004210482.tif 000011
【図１０】
2004210482.tif 000012